(57)【要約】      （修正有）【課題】学校、工場等集団で活動する環境の施設等々において、施設の入口に設置され、入場者の身体及び精神の健康状態を測定する装置。【解決手段】床部材、屋根部材、屋根部材を支える柱部材でゲート状に形成し、複数のセンサーを各部材に内蔵し、各センサーで、体温、肥満度、脈拍、眼の色、脈波パターンを測定し、それぞれの測定値とあらかじめ記憶された基準値と比較照合する照合手段を備え、身体および精神の健康状態を測定することが出来、測定されたデータは指紋センサーで被験者を特定し、個人別にデータ管理が出来る。また、ゲート状ユニットに隣接して被験者全身を写すマジックミラー製の姿鏡２０を設置し、被験者の服装身だしなみチェックや表情チェックが出来る。【選択図】図１
2009201792.tif 000002
【特許請求の範囲】
【請求項１】
床部材、屋根部材、屋根部材を支える床部材からアーム状に立ち上がった左右いずれかまたは両方の柱部材でゲート状に形成され、それらの部材に健康状態測定用の複数のセンサーを装着するものであって、左右いずれかの柱部材または屋根部材に装着された非接触赤外線センサーにより被験者の額から発する赤外線の分布値を検出し、その値を体温に変換することにより被験者の体温を測定する体温測定手段を備えてなる健康状態測定装置
【請求項２】
前記体温測定手段で測定された被験者の体温の値とあらかじめ記憶された体温基準値とを比較照合して結果をランク分けする体温照合手段をさらに備えてなる請求項１記載の健康状態測定装置
【請求項３】
前記非接触赤外線センサーにより、非接触赤外線センサーから定められた距離に被験者の額があることを検知する額検知手段を更に備えてなる請求項１〜２のいずれかに記載の健康状態測定装置
【請求項４】
被験者の体重を測定するデジタル体温計と、被験者の重みを感知することにより、前記複数のセンサーを作動させるマットセンサーと、屋根部材の中央近傍に装着され、超音波を発射して、被験者の頭頂部から反射された超音波を入射する超音波センサーと、超音波の発射から入射までの時間を計測することで頭頂部までの最短距離を測定することにより非接触で身長を算出し、前記デジタル体重計で測定した体重値と演算して、あらかじめ記憶された肥満度基準値と比較照合して、被験者の肥満度を測定する肥満度測定手段とを更に備えてなる請求項１〜３のいずれか記載の健康状態測定装置
【請求項５】
左右いずれかの柱部材の内側に取着された握り棒、または、手のひら読取部と、握り棒、または、手のひら読取部に装着され、指尖から検出される脈波を測定する脈波測定センサーと、脈波を解析して導出された生体情報のゆらぎ値の変化パターンを測定し、あらかじめ記憶されたゆらぎ値の基準変化パターンと比較照合して、被験者の精神健康度を測定する精神健康度判定手段とを備えてなる請求項１〜４のいずれかに記載の健康状態測定装置
【請求項６】
前記脈波測定センサにより測定された脈波から１分間の脈拍数を算出し、あらかじめ記憶された脈拍基準数と比較照合して、被験者の脈拍を判定する脈拍判定手段を更に備えてなる請求項５記載の健康状態測定装置
【請求項７】
左右いずれかの柱部材の内側に取着された握り棒、または、手のひら読取部と、握り棒、または、手のひら読取部に装着される指紋センサーまたは静脈パターンセンサーとし、被験者を特定するように、指紋センサーまたは静脈パターンセンサーに置かれた指紋の読取画像または静脈パターンの読取画像とあらかじめ記憶された基準画像と照合する、指紋照合手段を更に備えてなる請求項１〜４のいずれかに記載の健康状態測定装置
【請求項８】
被験者が床部材に乗ったときに、全身が写り、被験者が前進して横に退出可能なように床部材からの距離が設けられている姿鏡を更に備えてなる請求項１〜７のいずれかに記載の健康状態測定装置
【請求項９】
前記姿鏡はマジックミラーで形成され、姿鏡の裏側に装着され、被験者の眼の色を読取る画像センサーと、センサーの読取画像とあらかじめ記憶されている眼の色基準画像を照合して、被験者の眼の色を判定する眼の色判定手段とを更に備えてなる請求項８に記載の健康状態測定装置
【請求項１０】
被験者が床部材に乗ったとき、複数のセンサーで測定した測定結果を被験者のみが見えるように姿鏡の上部に設置した表示装置をさらに備えてなる請求項１〜９のいずれかに記載の健康状態測定装置
【発明の詳細な説明】
【技術分野】
【０００１】
この発明は、学校、工場、老人ホーム等集団で活動する施設等々において、施設の入口等に設置され、床部材、屋根部材、屋根部材を支える左右いずれかまたは両方の柱部材でゲート状に形成され、ゲート構成部材には各種測定センサーを装着し、ゲート入場者の身体及び精神の健康状態を測定する装置に関するものである。          
【背景技術】
【０００２】
従来、学校や工場など集団で生活する施設において、構成員の健康状態をチェックする場合は、測定日を決め、測定回数も年に１回または２回と限られた少ない回数で実施されている。また、測定する項目に合わせ測定装置の設置して有る場所へ被験者が移動しなければならず、動線が不効率で測定に時間がかかった。
【０００３】
従来、測定された体温や身長、体重、脈拍数の測定データを記録保存するには、個々人別にデータをパソコン等に手入力する手間が必要であった。また、体温や肥満度、脈拍、眼の色等の測定値を一般的な基準値と比較照合して、健康状態を同時に測定することが困難であった。
【０００４】
体温の測定等は風邪に罹って体調に異常を感じてから測定することが多く、頻繁に測定して常日頃の健康状態を把握したり事前に察知して罹病の予防や節制に結びつけることが困難であった。特に学校や工場など、集団で活動する環境では構成員の日常の健康状態を監督者が把握（知る）する手段が無く、事前に注意を喚起して医師への受診を進言することも出来なかった。このような集団で生活をしている環境では、罹病の兆候を察知できずに手遅れ状態となり、集団罹病で休校等の団体生活が阻害されることがあった。また、精神的な健康状態を簡易に測定する装置が無く、過度のストレス等でのノイローゼ兆候を感知して事前にカウンセリング等の処置が出来ず、不登校や出社拒否にいたる危険性をはらんでいた。
【特許文献１】特開昭58-078648
【特許文献２】特開平10-005193
【特許文献３】特開2006-204502
【発明の開示】
【発明が解決しようとする課題】
【０００５】
本発明は、以上のような従来の欠点に鑑み、ゲート状を形成する各部材に複数のセンサーを装着し、被験者がゲートに入り、一旦停止して通りぬけるような単純な動作と短い時間で健康状態を測定し、また、頻繁に利用しやすくすることにより、自己認識による自己管理もし易くなり、しかも集団を管理監督する第３者が構成員個々の健康状態を管理・把握することが出来、疾病の兆候を察知して専門の関係機関（医師等）に診断を進言することを可能にした健康状態測定装置を提供することを目的としている。
【課題を解決するための手段】
【０００６】
この発明の第１発明に係る健康状態測定装置は、床部材、屋根部材、屋根部材を支える左右いずれか、または両方の柱部材でゲート状に形成し、左右いずれかの柱部材または上部屋根部材に非接触赤外線センサーを装着し、被験者の額から発するある波長の赤外線の分布値を検出して体温に変換する。また、第２の発明の要旨は、測定された被験者の体温とあらかじめ記憶された一般的な体温基準値と比較照合する体温照合手段を備えたものである。また、第３の発明の要旨は、非接触赤外線センサーと定められた距離に被験者の額があることを検知する額検知手段を持った非接触赤外線センサー設置したものであり、定められた位置に来た額を検知してセンサーの作動をＯＮにする。
【０００７】
また、第４の発明に係る健康状態測定装置は、床部材にデジタル体重計と入場者を検知するマットセンサを内蔵し、被験者の体重を測定するとともに、被験者の重さによる圧力で作動するマットセンサで、本発明の健康状態測定装置を構成する複数の各センサー及び測定手段の電源をＯＮにするものである。屋根部材の中央近傍に超音波センサーを装着し、ゲート入場者の頭頂部までの距離を測定し、この距離数値を床部材上面から超音波センサ装着位置の高さ寸法から減算することにより入場者の身長を算出する。上部屋根部材に装着する変位センサには、超音波以外にレーザー光等もあるが、レーザー光は目に入ると害を及ぼす危険があり、また、測定距離も短く、測定範囲も狭く、本発明のセンサには適さない。超音波は身体に悪影響を及ぼさず、また、測定範囲が広く、入場者の頭部の広い範囲の中から最も近い距離の検出が可能である。
【０００８】
また、本発明に係る健康状態測定装置は、身長と体重の数値から肥満度を算出する演算手段を備え、日本肥満学会等で公知の肥満度基準値と比較照合し、肥満度をランク分けして表示し記録できるようにしたものである。
【０００９】
また、第５、第６発明に係る健康状態測定装置は、床部材からアーム状に立ち上がる左右柱部材のどちらかの内側に握り棒、または、手のひら読取部を設置し、この握り棒、または、手のひら読取部に脈波測定センサーを内蔵し、被験者が握り棒を握ることにより被検者の指先から検出される脈波データを非線型カオス解析して生体情報のゆらぎ値の変化パターンを測定し、あらかじめ記憶されたゆらぎ値の基準変化パターンと比較照合して、被験者の精神健康度として判定する精神健康度判定手段を備えたもので、過度なストレスによるノイローゼ傾向や欝兆候等を早い段階で知ることが出来る可能性を持たせるものである。また同時に、脈波から指定の脈拍数までの時間を測定し、その時間から１分間の脈拍数に演算し、あらかじめ記憶された脈拍基準数と比較照合して、被験者の脈拍を判定する脈拍判定手段を備えたものである。
【００１０】
また、第７発明に係る健康状態測定装置は、第５、第６の発明のものにおいて、握り棒、または、手のひら読取部に指紋センサーを内蔵し、被験者が握り棒を握る、または、手のひら読取部に手のひらを置くことにより被験者の指紋を読取り、この読取画像とあらかじめ記憶された基準画像と照合し、本発明の健康状態測定装置で測定した値を個人データとして蓄積保存し、長期間の変動や傾向を把握できるようにするものである。
【００１１】
また、第８、第９の発明に係る健康状態測定装置は、前記床部材、屋根部材、屋根部材を支える左右柱部材で形成されるゲート状の後方に、全身が写るマジックミラーの姿鏡を設置し、被験者が自身の服装身だしなみチェックや表情チェックが出来るようにするとともに、この姿鏡の裏側に画像センサーを装着し、上記ゲート状ユニットに入った被験者の眼の色を撮影してその読取画像とあらかじめ記憶されている眼の色基準画像とを比較照合して、ランク分けして表示するものである。姿鏡にマジックミラーを使用すれば画像センサーの存在が入場者にわからず、鏡機能に不都合を生じさせない。
【００１２】
また、第１０の発明に係る健康状態測定装置は、姿鏡の上部に、本発明の複数のセンサーで測定した健康状態の結果を表示する表示装置を被験者のみが見えるように配置することにより、個人情報が漏洩することなく、被験者自身が健康状態を確認できるものである。
【発明の効果】
【００１３】
以上述べた通り、この発明の第１発明では、床部材、屋根部材、屋根部材を支える左右いずれかまたは両方の柱部材でゲート状に形成し、ゲートの各構成部材に複数のセンサーを装着するようにしたもので、屋根部材または左右いずれかの柱部材に非接触赤外線センサーを装着し、ゲートに入った入場者の体温を瞬時に非接触で測定できる。
【００１４】
また、第２の発明では、測定した被験者の体温を基準値と比較照合するもので、被験者の健康状態が把握できる。第３の発明は、非接触赤外線センサーと被験者の体温測定部位の額との定められた距離を検知する非接触赤外線センサーを備えたもので、測定者を必要とせず、容易に体温の測定が可能である。
【００１５】
また、第４の発明では、床部材に体重計、屋根部材に超音波センサーを装着して身長を測定し、体重と身長から肥満度を演算し、あらかじめ記憶された日本肥満学会の肥満度基準値と比較して肥満度のレベルを知ることが出来、生活習慣病に罹らないための自己管理を促し、メタボリックシンドローム等の予防に寄与できる。
【００１６】
また、第５、第６の発明では、床部材から立ち上がる左右いずれかの柱部材の内側に設置され、脈波測定センサーを内蔵した、握り棒または手のひら読取部に置かれた指尖から脈波を検出し、脈波パターンを解析してあらかじめ記憶された基準パターンと比較照合して精神健康状態を判定するもので、ストレスによるノイローゼ傾向等、簡単に精神健康状態の自己チェックを行うことが出来、発病がわからないまま進行する認知症やうつ病の早期発見に寄与するものである。また、脈波から脈拍を測定し、基準脈拍数と比較照合し、簡単に脈拍のレベルを自己チェックでき、罹病予防に寄与できる。
【００１７】
また、第７の発明では、第５、第６の発明の床部材から立ち上がる左右いずれかの柱部材の内側に設置された握り棒または手のひら読取部に指紋センサーを内蔵し、被検者を判別してこの身体測定装置で測定されたデータを個人別に保存し、被検者のデータ変化を知ることが出来、情報をフィードバックすることが出来る。
【００１８】
また、第８、第９の発明では、画像センサーを裏側に装着したマジックミラーの姿鏡を、床部材、屋根部材、屋根部材を支える柱部材で構成されるゲートの後方、被験者の前進方向に設置し、上記ゲートの床部材に乗った被験者の眼の色を撮影して、撮影画像と基準画像とを比較判定して眼の色の健康状態を測定するもので、充血傾向や黄疸兆候を知ることが出来、早期の対応で罹病予防に寄与できる。また、姿鏡に被検者の全身を写すことにより、被検者自身が服装の乱れや、名札忘れなど規定遵守確認や、表情の自己チェックが出来、団体活動の規律維持に大きく寄与するものである。
【発明を実施するための最良の形態】
【００１９】
以下、本発明の形態を図面に基いて説明する。なを、図１〜図７は本発明による健康状態測定装置の一実施形態を示している。図１は本発明の装置を構成する全体の斜視図、図２は本発明装置の正面図、図３は本発明装置を構成する全体縦断面を示す説明図、図４は装置縦断面を示す図３のX−X矢視断面図、図５のＡは握り棒の説明図、Ｂは手のひら読取部の説明図、図６は機能説明図、図７は本発明装置の表示部を示すものであり、図中同一符号は同一部分を示す。
【００２０】
図１に示すように、本発明の身体測定装置はゲートＡと姿鏡装置Ｂで構成される実施例を示しているが、姿鏡装置Ｂは切り離しが可能に形成されている。図２はゲートの正面を示す説明図である。
これらの図においてゲートＡの実施例について説明する。ゲートＡは、右柱部材１、左柱部材２、屋根部材３、床部材４で構成されている。１０ａは左柱部材２または右柱部材１の内側に設置された握り棒、１９は表示装置である。
【００２１】
５はゲート床部材４に内蔵されたデジタル体重計、６はゲート屋根部材に内蔵された超音波センサ、被験者ＭがゲートＡの中心位置に入ると被験者Ｍはデジタル体重計５の上に乗り、超音波センサ６の真下になる。
【００２２】
図２において、ゲートＡを構成する柱部材１または２に非接触赤外線センサー８ｂを内蔵し、また測定に必要な赤外線センサー８ｂと被験者Ｍの額との定められた距離を検知する額検地手段３６を備え、額が所定位置に来ると非接触赤外線センサー８ｂが作動し、被検者Ｍの額から発する赤外線を検知して、内臓サーミスタで測定した室温とから体温に変換する。算出された体温は、あらかじめ記憶されている体温基準値と比較する体温照合手段９で判定する。一般的に平熱は３５度〜３６．５度といわれ、３７度以上は発熱とされているので、それらを基準に判定区分する。図３においては、非接触赤外線センサー８ａを屋根部材３の中央近傍に装着して被験者Ｍの額から発する赤外線を検出する例を示している。本発明は、実施形態に記載したものに限られること無く、特許請求範囲内でのさまざまな設計変更が可能である。例えば、非接触で赤外線を検知して温度を測定できるものとして、赤外線サーモグラフィがあり、この装置も使用することが出来る。
【００２３】
図３において、被験者ＭがゲートＡの中心である所定位置に入り、床部材４に内蔵されたデジタル体重計５の上に乗ると、体重の圧力を検知して自動的に体重計が作動し、被験者Ｍの体重を測定する。同時にゲートＡの屋根部材３に内蔵された超音波センサ６が超音波を発信し、被験者Ｍで反射してくる超音波を再度受信し、この音波の発信から受信までのもっとも短い時間を計測することで入場者の頭部までの最も近い距離Ｌを測定する。超音波センサ６には、あらかじめ被験者Ｍの立つデジタル体重計５の床面からの取り付け高さ距離Ｈが入力されており、この高さ寸法Ｈから超音波センサが測定したＬを差し引く演算手段を備えており、これにより被検者Ｍの身長が算出される。デジタル体重計５で測定した体重と超音波センサ６で算出した身長を肥満度演算手段３９で計算し、肥満度を算出する。測定された肥満度とあらかじめ記憶された基準肥満度と肥満度照合手段４０で比較照合する。肥満度の計算例としては、日本肥満学会による体格指数ＢＭＩと標準体重があり、ＢＭＩは、身長の二乗に対する体重の比で表しており、２２が理想の標準体重で２５〜３０を肥満１度としている。
【００２４】
図４は本装置の上部から見た断面図で、被験者ＭがゲートＡの中央部に入り、右柱部材１に備えられた握り棒１０ａを握っている実施例の説明図である。図５のＡは握り棒１０ａの実施例で、被検者Ｍが握り棒１０ａを握った時、親指があたるところに脈波測定センサ１１を内臓し、人差し指の当たるところに指紋センサ１８を内臓する。Ｂは手のひら読取部１０ｂの実施例で、読取部表面に手形の図を表示してあり、親指の位置に脈波測定センサ１１、人差し指の位置に指紋センサ１８を内臓する。被検者ＭがゲートＡの中央近傍に入り、デジタル体重計５に乗ると重さを検知するマットセンサ（圧力スイッチ）が作動して脈波測定センサ１１と指紋センサ１８の電源がＯＮになり、測定可能となる。
【００２５】
血管の物理的な収縮と拡大と大脳中枢からの神経系の影響が、指尖脈波に現れてくるとの理論から、本発明の実施形態は、被験者ＭがゲートＡの中央近傍に入り、図５のＡまたはＢに示すように握り棒１０ａを握る、または手のひら読取部１０ｂに手のひらを置くことにより、内蔵された脈波測定センサ１１が指尖の親指から脈波データをモニタし、脈波解析手段で非線型カオス解析を行い、生体情報のゆらぎ値の変化パターンを測定し、あらかじめ記憶されたゆらぎ値の基準変化パターンと比較照合して、精神健康状態を判定する脈波解析装置１２を備える。脈波解析により、ノイローゼ等による鬱傾向等を判定して、結果を自己チェックすることが出来る。また同時に、脈拍照合装置１４が、脈波から所定の、例えば５脈拍数の時間を測定し、1分間の脈拍数に換算し、脈拍照合手段で脈拍基準値と比較照合し、レベルをランク分けし、表示装置１９に表示する。
【００２６】
また、握り棒１０ａ、手のひら読取部１０ｂに指紋センサ１８を内臓し、被験者Ｍが握り棒１０ａを握り、または手のひら読取部に手のひらを置き、人差し指の指紋を指紋センサ１８に接続された指紋画像読取手段２２が読取り、この読取り画像と３３の指紋データベースにあらかじめ登録されている指紋画像とを２３の指紋照合手段で照合し、３４は指紋照合手段２３に接続され、照合結果に基ずいてゲートに入った被験者を判定する被験者判定手段である。測定されたデータを個人別に表示装置１９に表示でき、また個人別に記録、保存できる。
【００２７】
図１に示すＢは姿鏡装置の全体斜視図で、図３に縦断面を示し、２０は姿鏡、１５は画像センサ、１９は被験者専用の表示装置。図３〜図４に本発明の姿鏡装置の実施例を説明する。姿鏡装置Ｂは、ゲートＡから被験者Ｍがゲートの床部材を通過し前進して横に退出可能な距離を確保した位置に備える。被験者Ｍは図のようにゲートＡの中央部分にはいり、正面に位置する姿鏡に映る被験者自身の服装の乱れや身だしなみを自己チェックでき、また自発的に顔の表情チェックをして、相手に好印象を与える工夫ができる。
【００２８】
次に、１５は姿鏡２０の裏側に備えた画像センサで、被験者Ｍの眼の色を画像センサーで読取り、２１は読取画像とあらかじめ記憶された眼の色基準画像と照合し、充血度合いや黄だん兆候の有無などを測定する眼の色照合装置である。
【００２９】
図５は本発明の形態を示す機能構成図で、９は非接触赤外線センサー８検出した被験者の額からの赤外線を体温に変換して、基準値と比較照合する体温照合装置、７は身長と体重から肥満度を算出して、肥満度基準値と比較照合する肥満度照合装置、１４は脈波から脈拍数を演算し、基準脈拍数と比較照合する脈拍照合装置、１２は脈波測定センサー１１に接続され、脈波を解析して導出されたゆらぎ値変化パターンと基準変化パターンと比較照合する精神健康度測定装置、２１は画像センサー１５で読み取った眼の画像と基準の眼の色画像と比較照合する眼の色照合装置、３５は指紋センサー１８に接続され、読み取った指紋画像と記憶されている指紋画像と比較照合し被験者を特定する指紋照合装置である。１９はこれらの測定結果を表示する表示装置１９である。
【００３０】
次に図７は本発明の表示装置１９の実施例を示すもので、被験者個々の測定データとして表示し、また、各測定データはランク別に色分けして表示することができる。図６に示す例は、緑色、橙色、赤色の３つの色区分で表示したもので、緑色は正常を意味し、橙色は注意を要することを意味し、赤色は専門医等の専門機関での受診を進言する必要を意味させる。また、図１に示すように、１９は姿鏡の上部に備え、プライバシー保護の観点から、被検者のみが測定結果を知ることが出来るように配置した表示装置である。また、表示装置は集団生活を管理監督する特定の第３者が測定データをチェックできるように、姿鏡の裏側等に設置することも可能である。
【００３１】
次に、図８は、本発明のゲートＡを形成する柱部材が上下伸縮するタイプの実施例である。工場や小学校等異なった身長レベルの条件に合わせ、屋根部材３を上下させて使用できるようにし、屋根部材に装着されるセンサーや、柱部材に装着されるセンサーを測定しやすい位置に可動する。また、握り棒１０ａ、手のひら読取部１０ｂは柱部材の可動側１ａ、２ａに装着する。上下伸縮機構は電動モーターを動力源にするシリンダ方式、或いはチェーン式等駆動方式はいずれの選択も可能である。
【００３２】
次に、図９は、本発明のゲートをボックス形状にした実施例を示すもので、４は床部材、５は床部材４に内蔵されたデジタル体重計、３は屋根部材、１０ａは握り棒、２０は姿鏡、１９は姿鏡の上部に備えられた表示装置である。ボックス形状にすることにより本発明の健康状態測定装置が屋外での設置が可能になるものである。
【００３３】
以上、本発明による身体測定装置の実施形態について説明したが、本発明は、実施形態に記載したものに限られること無く、特許請求の範囲に記載した事項の範囲内でのさまざまな設計変更が可能である。例えば、図示した実施形態においては、非接触赤外線センサーによる体温測定に、額位置を検知する額位置検知手段３６を備えた赤外線センサーの例を示したが、例えば、近接センサーを備えた額位置ガイド部材を非接触赤外線センサーの前方に装着したものでもよく、非接触赤外線センサーで体温が計測可能な方法であればガイドの有無や形状に限定されるものではない。また、図示した実施形態における表示装置１９は、色分けしたランプでランク表示した例を示したが、測定数値を色分けして表示してもよく、形状や色については何ら限定されるものではない。
【００３４】
また、本発明による身体測定装置の実施形態に記載したものに限られること無く、将来の科学技術の進歩に伴い、ヘモグロビンの測定による貧血程度の判定や、腹部の撮影画像によるメタボリックシンドロームの兆候判定等々、新しい測定機材の装着により、本発明の実施形態に記載したものに何ら限られること無く、さらに新たな身体測定が可能である。
【図面の簡単な説明】
【００３５】
【図１】本発明による健康度測定装置のおける各構成要素の外観を示す斜視図である。
【図２】図１の装置の正面を示す説明図である。
【図３】図１の装置の縦断面を示す説明図である。
【図４】装置縦断面を示す図３のX−X矢視断面図である。
【図５】Ａは握り棒を示す説明図、Ｂは手のひら読取部を示す説明図である。
【図６】この発明の形態を示す機能構成図である。
【図７】本発明による健康度測定装置の表示部の一例を示す説明図である。
【図８】図２の健康度測定装置の門型ゲートを上下伸縮可能にした例の使用状態を示す正面説明図である。
【図９】本発明の第２実施例の装置外観を示す斜視図である。
【符号の説明】
【００３６】
１、１ａ    右柱部材
２、２ａ    左柱部材
３    屋根部材
４    床部材
５    デジタル体重計
６    超音波センサ
７    肥満度照合装置
８    非接触赤外線センサー
９    体温照合装置
１０ａ  握り棒
１０ｂ  手のひら読取部
１１  脈波測定センサ
１２  精神健康度測定装置
１４  脈拍照合装置
１５  画像センサ
１８  指紋センサ
３５  指紋照合装置
１９  表示装置
２０  姿鏡
２１  眼の色照合装置
４２  マットセンサー
Ａ    ゲート
Ｂ    姿鏡装置
Ｍ    被験者
【図１】
2009201792.tif 000003
【図２】
2009201792.tif 000004
【図３】
2009201792.tif 000005
【図４】
2009201792.tif 000006
【図５】
2009201792.tif 000007
【図６】
2009201792.tif 000008
【図７】
2009201792.tif 000009
【図８】
2009201792.tif 000010
【図９】
2009201792.tif 000011